(57)【要約】【課題】タイムアウトせずに相手先装置にファックス送信することができるファックス装置を提供する。【解決手段】  原稿シートＧの１枚分の読取画像に対して９０度回転を行う場合に、相手先装置がＶ．３４通信規格の下で通信可能であることを示すＡＮＳａｍ信号を受信した場合であっても、複合機１と相手先装置とが利用可能な最大能力であるＶ．３４で通信することを示すＤＣＳ信号を相手先装置に送信するのではなく、非Ｖ．３４通信規格であるＶ．１７通信規格によって通信することを示すＤＣＳ信号を相手先装置に送信する。【選択図】図７
2018022988.tif 000002
【特許請求の範囲】
【請求項１】
原稿シートを支持する支持部と、
前記支持部に支持された前記原稿シートを搬送する搬送経路に設けられた搬送ローラと前記搬送ローラを駆動する駆動部とを有する搬送部と、
前記搬送経路の所定位置にて画像を読み取る読取センサと、
ＩＴＵ−Ｔ勧告に基づく通信規格の下で、電話回線を介して相手先装置に画像データを送信可能するファックス通信部と、
記憶部と、
制御部と、
を備え、
前記制御部は、
前記支持部に支持された前記原稿シートの向きによって、前記原稿シート１枚分を前記読取センサが読み取った読取画像を９０度回転する回転処理を実行するか否かを決定する回転処理実行決定処理と、
前記相手先装置から送信されるＤＩＳ信号を前記ファックス通信部が受信する前に、前記相手先装置がＶ．３４通信規格の下で通信可能であることを示すＡＮＳａｍ信号を前記相手先装置から前記ファックス通信部が受信する場合であって、かつ、前記回転処理実行決定処理にて前記回転処理を実行することが決定されている第１の場合において、前記ＤＩＳ信号を前記ファックス通信部が受信後、前記Ｖ．３４通信規格と異なる非Ｖ．３４通信規格の下で前記相手先装置との通信のやり取りを行うことを示すＤＣＳ信号を前記相手先装置に送信し、前記非Ｖ．３４通信規格で定められた所定の間隔後、前記ファックス通信部に前記相手先装置からのＣＦＲ信号を受信させる第１通信規格処理と、
前記相手先装置から送信される前記ＤＩＳ信号を前記ファックス通信部が受信したことに応じて、前記駆動部に対して駆動の開始を指示する駆動指示処理と、
を実行し、
前記第１の場合以外の場合、前記相手先装置と前記ファックス通信部とが互いに利用可能な最大能力を決定し、決定された最大能力を示す前記ＤＣＳ信号を前記相手先装置に送信し、
前記第１の場合に、前記駆動指示処理によって前記搬送ローラによって搬送された前記原稿シートを、前記読取センサを用いて前記所定位置にて読み取らせると共に前記読取センサが読み取った前記読取画像を前記記憶部に記憶させ、前記原稿シート１枚分の前記読取画像を前記記憶部に記憶完了後、前記原稿シート１枚分の前記読取画像に対して前記回転処理を実行し、
前記ファックス通信部による前記ＣＦＲ信号の受信完了、及び、前記回転処理の完了後、前記回転処理が実行された前記読取画像を、前記ＤＣＳ信号にて送信した前記非Ｖ．３４通信規格の下で前記ファックス通信部を用いて前記相手先装置に送信する、
ファックス装置。
【請求項２】
請求項１に記載のファックス装置であって、
前記制御部は、
前記第１通信規格処理において、
前記ＤＣＳ信号を前記相手先装置に送信後、前記所定の間隔の間、前記ファックス通信部によりＴＣＦ信号を送信し、その後、前記ファックス通信部に前記相手先装置からの前記ＣＦＲ信号を受信させる、
ファックス装置。
【請求項３】
請求項２に記載のファックス装置であって、
前記制御部は、
前記第１通信規格処理において、
前記ＣＦＲ信号を受信後、前記ファックス通信部に対してダミー画像の送信を開始させ、
前記回転処理が完了後、前記ファックス通信部に対して前記相手先装置へのダミー画像の送信を停止させる、
ファックス装置。
【請求項４】
請求項３に記載のファックス装置であって、
前記読取センサより前記搬送経路の上流側の位置を通過する前記原稿シートを検知するセンサ部、
を備え、
前記制御部は、
前記センサ部が前記原稿シートの先端を検知に基づいて、前記駆動部の駆動の停止を指示し、その指示後、前記第１通信規格処理において前記ファックス通信部が前記ＣＦＲ信号を受信した際に、前記駆動部の駆動を再開させる第１駆動制御処理と、
前記第１駆動制御処理の前記駆動部の駆動の再開に応じて、前記読取センサによる前記所定位置に搬送される前記原稿シートの読み取りを開始させ、前記センサ部の検知から非検知の変化に基づいて、前記読取センサに読み取りを終了させる読取制御処理と、
を実行するファックス装置。
【請求項５】
請求項４に記載のファックス装置であって、
前記支持部に支持された複数枚の前記原稿シートを１枚毎に前記相手先装置にファックス送信する場合において、
前記制御部は、
前記センサ部の検知から非検知の変化に基づく前記読取制御処理による前記読取センサの読み取り終了後、再び、前記センサ部が非検知から検知の変化に基づいて、前記駆動部の駆動を停止させ、前記回転処理が実行された前記読取画像が前記ファックス通信部によって送信完了したことを示すＭＰＳ信号が前記相手先装置に送信された段階で、前記駆動部の駆動を再開し、前記読取制御処理を実行する、
ファックス装置。
【請求項６】
請求項１から５のいずれか１項に記載のファックス装置であって、
更に、
前記相手先装置から送信される前記ＤＩＳ信号を前記ファックス通信部が受信する前に、前記ＡＮＳａｍ信号を前記相手先装置から前記ファックス通信部が受信する場合であって、かつ、前記回転処理実行決定処理にて前記回転処理を実行することが決定されていない第２の場合において、前記ＤＩＳ信号を前記ファックス通信部が受信後、前記Ｖ．３４通信規格の下で前記相手先装置との通信のやり取りを行うことを示す前記ＤＣＳ信号を前記相手先装置に送信し、前記ファックス通信部が前記ＣＦＲ信号を受信する第２通信規格処理、
を実行し、
前記第２の場合に、前記駆動指示処理によって前記搬送ローラによって搬送された前記原稿シートを、前記読取センサを用いて前記所定位置にて読み取らせ、前記読取センサが読み取った前記読取画像を読み取った順に、前記Ｖ．３４通信規格の下で前記ファックス通信部を用いて前記相手先装置に送信する第２読取画像送信処理と、
を実行するファックス装置。
【請求項７】
請求項６に記載のファックス装置であって、
更に、
前記原稿シートの長辺が前記読取センサの読取主走査方向に沿う向き、又は、前記原稿シートの短辺が前記読取センサの読取主走査方向に沿う向き、のいずれかの向きに前記支持部に支持されているかを検知する原稿シート検知センサ部、
を備え、
前記制御部は、
前記回転処理実行決定処理において、前記原稿シート検知センサ部が前記原稿シートの長辺が前記読取センサの読取主走査方向に沿う向きであることを検知している場合に、前記回転処理を実行すると決定する、
ファックス装置。
【請求項８】
請求項７に記載のファックス装置を有する複合機であって、
更に、
記録紙シートが支持される記録紙シート支持部と、
画像形成を行う画像形成部、
を備え、
前記記録紙シート支持部は、前記記録紙シートの長辺が前記画像形成部の記録主走査方向と平行となる向きに前記記録紙シートが支持され、
前記画像形成部は、前記記録主走査方向と直交する記録副走査方向に搬送された前記記録紙シートに対して、前記記録主走査方向に画像形成する、
複合機。
【発明の詳細な説明】
【技術分野】
【０００１】
本発明は、ファックス装置および複合機に関する。
【背景技術】
【０００２】
従来、ＡＤＦ（ＡＤＦ：Ａｕｔｏ Ｄｏｃｕｍｅｎｔ Ｆｅｅｄｅｒ）を用いて、原稿シートを１枚ずつ搬送し、原稿シートの搬送経路上の所定位置に設けられたＣＩＳ（ＣＩＳ：Ｃｏｎｔａｃｔ Ｉｍａｇｅ ｓｅｎｓｏｒ）等の読取センサを用いて、搬送された原稿シートの画像を読み取り、読み取った読取画像を、電話回線を介してファックス送信するファックス装置が知られている。
【０００３】
特許文献１のファクシミリ装置は、原稿シートの長辺が読取センサの主走査方向に沿う向きで原稿シートを読み取った場合に、読取センサが読み取った読取画像を９０度回転させる回転処理を行い、その回転処理後の読取画像をファックス送信する。
【０００４】
ファックス装置がファックス送信する方法としては、例えば、次の方法がある。その方法では、まず、ファックス送信先の相手先装置からデジタル識別信号（ＤＩＳ信号）を受信した段階で、ファックス装置がＡＤＦを駆動させる。ファックス装置は、ＡＤＦの駆動と並行して、受信したＤＩＳ信号から相手先装置の通信速度等の受信能力を取得し、ファックス装置と相手先装置とが利用可能な最大能力を決定し、デジタル命令信号（ＤＣＳ信号）として相手先装置に送信する。これにより、相手先装置へのファックス送信の通信規格が決まる。
【０００５】
一方、ＡＤＦの駆動によって、読取センサの位置に原稿シートが搬送されると、読取センサが原稿シートを読み取る。１枚分の読取画像に対して９０度回転を行う必要が無い場合は、読み取った順に読取画像が決まった通信規格の下で相手先装置に送信される。また、１枚分の読取画像に対して９０度回転を行う必要がある場合、読み取り終了してから回転処理が完了後、読取画像が決まった通信規格の下で相手先装置に送信される。
【先行技術文献】
【特許文献】
【０００６】
【特許文献１】特開２００４−３１２１０３号公報
【発明の概要】
【発明が解決しようとする課題】
【０００７】
しかし、ファックス装置が上述の方法を用いてファックス送信する場合であって、かつ、読取画像を９０度回転させる回転処理を行う必要がある場合に、ファックス装置が、相手先装置が「Ｖ．３４」通信規格の下で通信可能であることを示すＡＮＳａｍ信号を受信した場合、相手先装置にファックス送信することができないという問題があった。
【０００８】
「Ｖ．３４」通信規格は、ＩＴＵ−Ｔ勧告に基づく規格であって、「Ｖ．１７」通信規格等の他の通信規格に比べて、相手先装置とファックス装置とで高速でデータの送信を行うものである。「Ｖ．３４」通信規格は、相手先装置に読取画像を送る際の通信速度が他の通信規格に比べて単に速いだけでなく、ファックス装置が相手先装置からのＤＩＳ信号を受信してから、相手先装置へＤＣＳ信号を送信し、相手先装置からの受信準備確認信号（ＣＦＲ信号）の受信に至る一連の工程が他の通信規格に比べて短くなっている。
【０００９】
ファックス装置は、ＤＩＳ信号を受信した段階で、ＡＤＦの駆動を開始し、ファックス装置がＡＮＳａｍ信号を受信したら、ファックス装置と相手先装置とが利用可能な最大能力である「Ｖ．３４」で通信することを示すＤＣＳ信号を相手先装置に送信する。すると、「Ｖ．３４」通信規格の場合、原稿シートの先端が読取センサの位置に到達する前に、ファックス装置は、相手先装置からＣＦＲ信号を受信することとなる。
【００１０】
相手先装置は、ＣＦＲ信号をファクス装置に送信してから一定以上の時間（タイムアウト時間）が経過すると、ファックス装置からの読取画像の受信を拒否する。そのため、「Ｖ．３４」通信規格おいて、１枚分の読取画像に対して９０度回転を行う場合、ファックス装置がＣＦＲ信号を受信してからファックス装置が読取画像を送信の準備が完了する時間が、タイムアウト時間を越えてしまうため、ファックス装置が相手先装置に読取画像を送信できなかった。
【００１１】
本発明の目的は、１枚分の読取画像に対して９０度回転を行う場合に、相手先装置が「Ｖ．３４」通信規格の下で通信可能であることを示すＡＮＳａｍ信号を受信した場合であっても、タイムアウトせずに相手先装置にファックス送信することができるファックス装置および複合機を提供することである。
【課題を解決するための手段】
【００１２】
原稿シートを支持する支持部と、前記支持部に支持された前記原稿シートを搬送する搬送経路に設けられた搬送ローラと前記搬送ローラを駆動する駆動部とを有する搬送部と、前記搬送経路の所定位置にて画像を読み取る読取センサと、ＩＴＵ−Ｔ勧告に基づく通信規格の下で、電話回線を介して相手先装置に画像データを送信可能するファックス通信部と、記憶部と、制御部と、を備え、前記制御部は、前記支持部に支持された前記原稿シートの向きによって、前記原稿シート１枚分を前記読取センサが読み取った読取画像を９０度回転する回転処理を実行するか否かを決定する回転処理実行決定処理と、前記相手先装置から送信されるＤＩＳ信号を前記ファックス通信部が受信する前に、前記相手先装置がＶ．３４通信規格の下で通信可能であることを示すＡＮＳａｍ信号を前記相手先装置から前記ファックス通信部が受信する場合であって、かつ、前記回転処理実行決定処理にて前記回転処理を実行することが決定されている第１の場合において、前記ＤＩＳ信号を前記ファックス通信部が受信後、前記Ｖ．３４通信規格と異なる非Ｖ．３４通信規格の下で前記相手先装置との通信のやり取りを行うことを示すＤＣＳ信号を前記相手先装置に送信し、前記非Ｖ．３４通信規格で定められた所定の間隔後、前記ファックス通信部に前記相手先装置からのＣＦＲ信号を受信させる第１通信規格処理と、前記相手先装置から送信される前記ＤＩＳ信号を前記ファックス通信部が受信したことに応じて、前記駆動部に対して駆動の開始を指示する駆動指示処理と、を実行し、前記第１の場合以外の場合、前記相手先装置と前記ファックス通信部とが互いに利用可能な最大能力を決定し、決定された最大能力を示す前記ＤＣＳ信号を前記相手先装置に送信し、前記第１の場合に、前記駆動指示処理によって前記搬送ローラによって搬送された前記原稿シートを、前記読取センサを用いて前記所定位置にて読み取らせると共に前記読取センサが読み取った前記読取画像を前記記憶部に記憶させ、前記原稿シート１枚分の前記読取画像を前記記憶部に記憶完了後、前記原稿シート１枚分の前記読取画像に対して前記回転処理を実行し、前記ファックス通信部による前記ＣＦＲ信号の受信完了、及び、前記回転処理の完了後、前記回転処理が実行された前記読取画像を、前記ＤＣＳ信号にて送信した前記非Ｖ．３４通信規格の下で前記ファックス通信部を用いて前記相手先装置に送信する。
【００１３】
原稿シートの１枚分の読取画像に対して９０度回転を行う場合に、相手先装置が「Ｖ．３４」通信規格の下で通信可能であることを示すＡＮＳａｍ信号を受信した場合であっても、ファックス装置と相手先装置とが利用可能な最大能力であるＶ．３４で通信することを示すＤＣＳ信号を相手先装置に送信するのではなく、非Ｖ．３４通信規格で通信することを示すＤＣＳ信号を相手先装置に送信する。よって相手先装置がタイムアウトする前に、ファックス装置が読取画像を相手先装置にファックス送信することができる。
【図面の簡単な説明】
【００１４】
【図１】複合機１の概略的な斜視図。
【図２Ａ】複合機１の概略的な断面図。
【図２Ｂ】搬送制御処理における原稿シートＧの位置を示す断面図。
【図３】原稿搬送ユニット３の内部構成を示す上面図。
【図４】記録紙搬送部４３の内部構成を示す上面図。
【図５】複合機１の電気的構成を示すブロック図。
【図６】読取制御の流れと（ａ）Ｖ．１７方式と（ｂ）Ｖ．３４方式との信号の流れを示す図。
【図７】ファックス送信時のメインフローチャート。
【図８】搬送制御処理を示すフローチャート。
【図９】送信制御処理を示すフローチャート。
【発明を実施するための形態】
【００１５】
以下では、本発明の実施の形態について、添付図面を参照しつつ詳細に説明する。
【００１６】
＜１．複合機の外観＞
図１は、本実施形態の画像処理装置の一例である複合機１（ファックス装置の一例）の斜視図である。この複合機１は、プリンタ機能、スキャナ機能、ファクシミリ機能などを備える他、原稿シートＧを読み取り、読み取った読取画像を記録紙シートＨに画像形成を行う、いわゆるコピー機能を備えた多機能周辺装置である。
【００１７】
図１に示すように、複合機１は、本体２の上に、原稿搬送ユニット３が搭載されている。本体２は、記録紙トレイ１３、画像形成部３１（図４、図５参照）を備える他、後述する中央処理装置（以下、ＣＰＵ）７０（図５参照：制御部の一例）等を備える。また、本体２は、記録紙搬送経路３５（図４参照：２点鎖線）に沿って記録紙シートＨを搬送する機能を有する記録紙搬送部４３を備える。
【００１８】
本体２は、読取センサ２１（読取センサの一例）を備える他、その上面に透明なガラス板からなるプラテンガラス１４とＡＤＦガラス１５等を備える。
【００１９】
更に、本体２には、電源スイッチやスタートキーなどの各種設定ボタンからなり、使用者からの操作指令等を受け付ける操作部９、ＬＥＤや液晶ディスプレイからなり複合機１の状況を表示する表示部８等が設けられている。
【００２０】
原稿搬送ユニット３は、プラテンガラス１４を覆うカバーとなっており、プラテンガラス１４の上面を開閉可能に構成されている。
【００２１】
原稿搬送ユニット３は、原稿搬送経路４５に沿って原稿シートＧを１枚ずつ自動で搬送する原稿自動送り機能を有するＡＤＦ４１（搬送部の一例）を備える他、上面カバー１１、給紙トレイ１２（支持部の一例）、原稿ガイド１６を備える。
【００２２】
＜２．原稿搬送ユニット３の内部構成＞
次に、原稿搬送ユニット３の内部構成について説明する。
【００２３】
図２（ａ）は、複合機１の断面図であり、原稿搬送ユニット３の閉姿勢における複合機１の断面図を示している。また、図２（ｂ）は、後述する搬送制御処理（図８：Ｓ３７０等）における原稿シートＧの位置を示す図を示している。原稿シートＧの先端がリアセンサ（Ｒセンサ）４４の位置で停止している様子を示している。
【００２４】
図２（ａ）に示すように、ＡＤＦ４１は、フロントセンサ（Ｆセンサ）１８、Ｒセンサ（センサ部の一例）４４、原稿搬送経路４５、複数の搬送ローラ４６（搬送ローラの一例）、複数の搬送ローラ４６を回転駆動するモータである駆動部３９（図５参照：駆動部の一例）、排紙トレイ４７、押え部材４８を含む。
【００２５】
Ｆセンサ１８は、給紙トレイ１２に配置されている。Ｆセンサ１８は、給紙トレイ１２に原稿シートＧが載置されているか否かを検出するセンサである。Ｒセンサ４４は、原稿搬送経路４５上に配置されており、Ｒセンサ４４が配置された位置Ｐ１に原稿シートＧが存在するか否かを検出する。Ｆセンサ１８、Ｒセンサ４４である、いずれのセンサも、原稿シートＧが存在する場合にオンを検知し、原稿シートＧが存在しない場合にオフを検知する。
【００２６】
押え部材４８は、給紙トレイ１２の上側に配置されており、搬送ローラ４６Ａを介して給紙トレイ１２に上下方向に重ねて載置される原稿シートＧを上側から押える。
【００２７】
駆動部３９によって伝達される駆動力によって複数の搬送ローラ４６が回転する。すると、ＡＤＦ４１は、給紙トレイ１２に載置されている原稿シートＧを原稿搬送経路４５に１枚ずつ搬送する。搬送ローラ４６Ａは、給紙トレイ１２に載置されている原稿シートＧのうち、最も上側に載置された原稿シートＧから１枚ずつ原稿搬送経路４５に搬送する。
【００２８】
ＡＤＦガラス１５の下に読取センサ２１は、位置Ｐ２に位置する。そして、ＡＤＦ４１は、原稿シートＧを、ＡＤＦガラス１５の上を通過させて排紙トレイ４７に排出する。また、押圧部材３８は、ＡＤＦガラス１５の上を通過する原稿シートＧがＡＤＦガラス１５から浮かないように、原稿シートＧをＡＤＦガラス１５に向けて押圧する。
【００２９】
読取センサ２１は、ＣＩＳ（Ｃｏｎｔａｃｔ  Ｉｍａｇｅ  Ｓｅｎｓｏｒ）を用いた、いわゆるＣＩＳ方式である。読取センサ２１は、本体２内に配置されており、複合機１の前後方向に平行な方向である読取主走査方向Ｄ１に広がって形成されている。読取センサ２１は、原稿搬送経路４５に沿って搬送される原稿シートＧを、位置Ｐ２で、読取主走査方向Ｄ１に沿って読み取る。
【００３０】
読取センサ２１は、ＡＤＦガラス１５上を通過する原稿シートＧを読み取る際に、原稿搬送経路４５においてＲセンサ４４が配置された位置Ｐ１より下流側に位置する位置Ｐ２において原稿シートＧを読み取る。読取センサ２１は、ＡＤＦガラス１５上を通過する原稿シートＧを読み取る場合、上流側に配置されたＲセンサ４４が原稿シートＧを検出してから、原稿シートＧが原稿搬送経路４５に沿ってＲセンサ４４が設けられた位置Ｐ１と位置Ｐ２との間を搬送される時間である規定時間後に原稿シートＧの読み取りを開始する。
【００３１】
読取センサ２１は、ＲＧＢ３色の発光ダイオードなどで構成される光源２２、複数の受光素子が図２の紙面垂直方向に直線状に配列されているリニアイメージセンサ２３、原稿シートＧで反射された光源２２からの反射光をリニアイメージセンサ２３の各受光素子に結像させるロッドレンズアレイ２４を含む。なお、読取センサ２１はＣＩＳ方式に限られず、ＣＣＤ（電荷結合素子）イメージセンサを用いた、いわゆるＣＣＤ方式であってもよい。
【００３２】
なお、光源２２がＡＤＦ４１によって搬送される原稿シートＧや押圧部材３８に光を照射し、その照射した光が、原稿シートＧや押圧部材３８によって反射された反射光をリニアイメージセンサ２３によって受光することによって、読取センサ２１は、原稿シートＧや押圧部材３８を読み取る。
【００３３】
また、読取センサ２１は、プラテンガラス１４の下側を読取副走査方向Ｄ２に移動可能に支持されている。読取センサ２１は、読取副走査方向Ｄ２に移動しながらプラテンガラス１４上に静止して載置された原稿シートＧを読み取るＦＢ読取も可能である。以後、位置Ｐ２に静止した読取センサ２１の状態及び動作を説明しているものとする。
【００３４】
＜３．原稿搬送ユニットの内部構成を示す上面図＞
次に、原稿搬送ユニット３の内部構成について説明する。図３は、原稿搬送ユニット３の内部構成を示す上面図であって、原稿搬送ユニット３の上面カバー１１を取り外した状態で上から見た図を示している。
【００３５】
原稿搬送ユニット３は、複数の搬送ローラ４６が配置されている。搬送ローラ４６は、駆動部３９の駆動力にとって回転する。そして、給紙トレイ１２に載置された原稿シートＧは、搬送ローラ４６によって原稿搬送経路４５に沿って右から左に向けて１枚ずつ搬送される。
【００３６】
原稿搬送ユニット３は、幅センサ１７（原稿シート検知センサ部の一例）、Ｆセンサ１８が設けられている。Ｆセンサ１８は、給紙トレイ１２に配置されるとともに読取主走査方向Ｄ１において中心線５０近傍に配置されており、給紙トレイ１２に原稿シートＧが載置されているか否かを検出する。
【００３７】
幅センサ１７は、読取副走査方向Ｄ２においてＦセンサ１８と同一位置に配置されるとともに、読取主走査方向Ｄ１において中心線５０から基準距離離れて配置されている。
【００３８】
そのため、給紙トレイ１２では、幅センサ１７を用いて、原稿シートＧの載置向きを検出することができる。給紙トレイ１２では、図２に二点鎖線で示すように、原稿シートＧの短辺が読取主走査方向Ｄ１と平行となる横向きに載置することができる他、矢印５１で示す原稿ガイド１６の可動範囲内において、図２に実線で示すように、原稿シートＧの長辺が読取主走査方向Ｄ１と平行となる縦向きに載置することができる。具体的には、Ａ４原稿サイズやレター原稿サイズ以下の原稿サイズであれば、給紙トレイ１２に原稿シートＧを縦向きに載置することができる。
【００３９】
そして、原稿シートＧが縦向きに載置された場合、原稿シートＧは幅センサ１７に対向することから、幅センサ１７はオンする。その一方、原稿シートＧが横向きに載置された場合、原稿シートＧは幅センサ１７に対向して配置されず、幅センサ１７はオフする。従って、幅センサ１７の検出結果から原稿シートＧの載置向きが検出される。
【００４０】
＜４．本体２の内部構成＞
次に、本体２の内部構成について、特に、画像形成部３１について図４を用いて説明する。図４に示すように、本体２は、給紙ローラ３６や記録紙搬送ローラ３７などの各種ローラからなる記録紙搬送部４３を有している。記録紙搬送部４３の各種ローラは、不図示のモータなどの駆動手段によって回転し、記録紙トレイ１３に載置された記録紙シートＨを画像形成部３１へと搬送する。
【００４１】
画像形成部３１は、インク等を用いて記録紙シートＨに画像を形成する形成ヘッド３２、形成ヘッド３２が固定される搬送ベルト３３、及び、ローラ３４等を含む。ローラ３４は、不図示のモータなどの駆動手段によって回転し、回転により搬送ベルト３３を複合機１の左右方向に平行な記録主走査方向Ｄ３に移動させる。画像形成部３１は、複合機１の前後方向に平行な記録副走査方向Ｄ４に搬送される記録紙シートＨに対して、形成ヘッド３２を記録主走査方向Ｄ３に移動させながら、記録主走査方向Ｄ３に画像形成を行う。
【００４２】
つまり、複合機１では、記録主走査方向Ｄ３と読取副走査方向Ｄ２とが互いに平行であって、記録副走査方向Ｄ４と読取主走査方向Ｄ１とが互いに平行になっている。
【００４３】
記録紙トレイ１３では、記録紙シートＨの載置向きが決まっており、図４に実線で示すように、Ａ４用紙サイズの記録紙シートＨを、記録紙シートＨの長辺が記録主走査方向Ｄ３と平行となる横向きに載置することができる。
【００４４】
原稿シートＧが読取センサ２１によって読み取られ、読み取った読取画像を記録紙シートＨに画像形成を行う際、給紙トレイ１２に原稿シートＧの短辺が複合機１の前後方向と平行となる向きに載置される（図３：Ｇの２点鎖線参照）と、回転処理を行う必要が生じる。原稿シートＧの短辺側から順に読取センサ２１によって読み取られ、読取画像として記憶されるため、画像形成部３１が記録紙シートＨの長辺側から画像形成を開始するには、１枚の原稿シートＧを読み終わってから、その読取画像に対して回転処理を行い、記録紙シートＨの長辺側から画像形成できるように読取画像に対して回転処理を行う必要が生じるためである。その回転処理を行う分、画像形成部３１は、画像形成に時間がかかる。
原稿シートＧが読取センサ２１によって読み取られ、読み取った読取画像を記録紙シートＨに画像形成を行う際、給紙トレイ１２に原稿シートＧの長辺が複合機１の前後方向と平行となる向きに載置される（図３：Ｇの実線参照）と、原稿シートＧの長辺側から順に読取センサ２１によって読み取られ、その読み取られた長辺側の読取画像をそのまま、画像形成部３１は、記録紙シートＨの長辺側から画像形成を開始することができる。故に、回転処理を行う必要が無い分、画像形成部３１は、画像形成を速く実行することができる。
【００４５】
しかし、原稿シートＧを読取センサ２１によって読み取り、相手先装置６１（図５参照）にファックス送信する際、給紙トレイ１２に原稿シートＧの長辺が複合機１の前後方向と平行となる向きに載置される（図３：Ｇの実線参照）と、ファックス送信では、原稿シートＧの短辺を先に送信することになっているため、画像形成する場合とは逆に、回転処理を実行する必要が生じる。
【００４６】
＜５．複合機の電気的構成＞
次に、複合機１の電気的構成について説明する。
【００４７】
複合機１は、図５に示されるように、ＡＳＩＣ７１と、表示部８と、操作部９と、読取センサ２１と、駆動部３９と、画像形成部３１と、幅センサ１７と、Ｆセンサ１８と、Ｒセンサ４４と、ファックス通信部３０（ファックス通信部の一例）と、ＲＯＭ７６と、ＲＡＭ７７（記憶部の一例）とを備える。ＡＳＩＣ７１には、表示部８等が電気的に接続されている。
【００４８】
ファックス通信部３０は、電話回線６０を介して相手先装置６１であるファックス装置と接続され、相手先装置６１であるファックス装置から信号を受信、又は、相手先装置６１であるファックス装置に対して信号を送信することが可能となる。また、ファックス通信部３０は、「Ｖ．１７」通信規格や「Ｖ．３４」通信規格の下での通信速度で相手先装置６１と信号の送受信を行うことができる。
【００４９】
ＡＳＩＣ７１は、ＣＰＵ７０と画像処理部７２とを内蔵している。ＣＰＵ７０は、ＡＳＩＣ４１に入力される情報に基づいて、各種の処理のためのプログラムを実行する。そして、ＣＰＵ７０は、画像形成部３１（画像形成部の一例）、読取センサ２１、駆動部３９、表示部８、操作部９、ファックス通信部３０等を制御する。また、ＡＳＩＣ７１は、各種符号化方式の下で圧縮・解凍処理を実行することができる。
【００５０】
ＲＯＭ７６には、ＣＰＵ７０によって実行されるプログラム及び各種のデータなどが記憶されている。ＲＡＭ７７は、ＣＰＵ７０がプログラムを実行する際のワークエリアとして使用される。ＲＡＭ７７は、第１バッファ７８と第２バッファ７９という記憶領域を有している。第１バッファには、読取センサ２１によって読み取られた読取画像が記憶され、第２バッファには、画像処理部７２が第１バッファに記憶された読取画像を回転処理した後の読取画像が記憶される。
【００５１】
画像形成部３１は、ＲＡＭ７７に記憶された画像データに対して印刷（カラー印刷又はモノクロ印刷）を実行し、記録紙シートＨに画像を形成する。画像形成の方式は、本実施例では、インクジェット方式で説明するが、電子写真方式であってもよい。画像形成部３１は、ファックス通信部３０が受信した画像を記録紙シートＨに画像形成することもできる。
【００５２】
読取センサ２１は、光源２２、リニアイメージセンサ２３等から構成されており、光源２２が原稿シートＧや押圧部材３８に光を照射し、その照射した光が、原稿シートＧや押圧部材３８によって反射された反射光をリニアイメージセンサ２３によって受光することによって、原稿シートＧや押圧部材３８が読み取られる。そしてリニアイメージセンサ２３が読取画像を出力し、ＲＡＭ７７の第１バッファ７８に読取画像として記憶される。
【００５３】
駆動部３９は、モータ等から構成されている。駆動部３９が駆動すると、駆動部３９の駆動力が搬送ローラ４６に伝達され、搬送ローラ４６が回転するように構成されている。
【００５４】
幅センサ１７は、原稿シートＧの長辺が読取センサ２１の読取主走査方向Ｄ１に沿う向きに、原稿シートＧが給紙トレイ１２に支持されていると、原稿シートＧを検知し、オンを示す信号をＡＳＩＣ７１に出力する。原稿シートＧの短辺が読取センサ２１の読取主走査方向Ｄ１に沿う向きに、原稿シートＧが給紙トレイ１２に支持されていると、原稿シートＧを検知することなく、オフという信号をＡＳＩＣ７１に出力する。
【００５５】
Ｆセンサ１８は、原稿シートＧが給紙トレイ１２に載置されていれば、原稿シートＧを検知し、オンを示す信号をＡＳＩＣ７１に出力する。Ｆセンサ１８は、原稿シートＧが給紙トレイ１２に載置されていなければ、原稿シートＧを非検知であって、オフを示す信号をＡＳＩＣ７１に出力する。
【００５６】
Ｒセンサ４４は、原稿搬送経路４５を通って搬送される原稿シートＧを位置Ｐ１にて検知している場合、オンを示す信号をＡＳＩＣ７１に出力する。また、Ｒセンサ４４は、位置Ｐ１にて原稿シートＧを検知しない、非検知の場合、オフを示す信号をＡＳＩＣ７１に出力する。
【００５７】
表示部８は、例えば、液晶表示器からなる。操作部９は、各種の操作ボタンからなる。操作ボタンの押操作により、各種の入力が可能である。操作ボタンには、例えば、各種の指示を確定するためのＯＫボタン、各種の指示をキャンセルするためのキャンセルボタン、選択するための十字ボタン、数字や文字を入力するためのテンキーなどが含まれる。操作部９からの各種の操作ボタンの操作がＡＳＩＣ７１に入力され、ＡＳＩＣ７１は、入力された情報に応じて、各部を制御する。
【００５８】
＜６．２つのファックス送信（第１と第２）の方法について＞
複合機１がＡＤＦ４１によって搬送された原稿シートＧを相手先装置６１にファックス送信する方法としては、２つの方法について説明する。
【００５９】
第１の方法は、次のとおりである。複合機１は、ファックス送信先の相手先装置６１に対して、まず、ダイヤル番号とＣＮＧ信号とを送信する。すると、相手先装置６１は、ファックス受信準備ができていれば、複合機１に対して電話回線を介してＤＩＳ信号を送信する。複合機１は、相手先装置６１からＤＩＳ信号を受信すると、駆動部３９を駆動させることによって搬送ローラ４６を回転させ、読取センサ２１による原稿シートＧの読取動作を開始させ、ＲＡＭ７７に読み取った読取画像を記憶させる。そして、複合機１は、受信したＤＩＳ信号から、相手先装置６１とファックス通信部３０とが互いに利用可能な最大能力の通信速度、符号化方式を決定し、その決定された通信速度等の条件の下で相手先装置６１にファックス通信部３０を介して読取画像を送信する。以上が第１の方法である。
【００６０】
第２の方法は、次のとおりである。複合機１は、相手先装置６１との通信条件等の条件を決定する前に、原稿シートＧの読取動作を開始し、原稿シートＧの読取画像が全てＲＡＭ７７に記憶される。原稿シートＧが複数枚であった場合、複数枚の読取画像が全て、ＲＡＭ７７に記憶される。その後、複合機１は、相手先装置６１に向けてダイヤル信号とＣＮＧ信号とを送信し、相手先装置６１からＤＩＳ信号を受信する。複合機１は、第１の方法と同様に通信速度等の条件を決定し、その決定された条件の下で相手先装置６１にファックス通信部３０を介してＲＡＭ７７に記憶された読取画像を送信する、以上が第２の方法である。
【００６１】
相手先装置６１のファックス受信準備ができていない、例えば、相手先装置６１の電源が入っておらず、なんらかの異常が生じている場合が考えられる。その場合、第２の方法を用いて原稿シートＧをファックス送信しようとすると、相手先装置６１と通信速度等の条件を決定する前に読み取った原稿シートＧの読取画像が無駄になってしまう。結果的に複合機１が相手先装置にファックス送信することができず、ＲＡＭ７７に読取画像が記憶されつづけることになる。
【００６２】
第１の方法では、相手先装置６１のファックス受信準備ができていない場合、すなわち、ＤＩＳ信号を受信しない場合は、複合機１は、駆動部３９の駆動を開始しない。故に、複合機１は、原稿シートＧの読取動作を無駄にすることが無く、ＲＡＭ７７に読取画像を全て記憶しておく必要も無い。第１の方法は、複合機１のＲＡＭ７７の記憶容量が大規模な容量を有していない場合や、ファックス送信をするユーザにとっては、相手先装置６１からのＤＩＳ信号の送信という応答を確認のうえで、原稿シートＧの読取動作が開始されるので、安心感がある。
【００６３】
第１の方法は、第２の方法に比べてメリットがある一方、１枚分の読取画像に対して９０度回転させる必要がある場合、「Ｖ．３４」通信規格の下で読取画像を相手先装置６１にファックス送信することができないという本発明の課題がある。
【００６４】
＜７．「Ｖ．３４」通信規格について＞
「Ｖ．３４」通信規格は、電話回線６０でデータ通信を行う際のＩＴＵ−Ｔ勧告で定められた規格の１つである。「Ｖ．３４」通信規格は、相手先装置６１と複合機１とで、他の通信規格と比べて、読取画像等のデータを含む信号のやり取りを高速で行うものである。
【００６５】
図６は、第１の方法でファックス送信する際の読取動作とファックス通信部３０の送受信動作を示すものである。図６（Ａ）は、「Ｖ．３４」通信規格と異なる「Ｖ．１７」通信規格、図６（Ｂ）が、「Ｖ．３４」通信規格をそれぞれ示している。なお、Ｔｘは、ファックス通信部３０が行う相手先装置６１に信号を送信することを意味し、Ｒｘは、ファックス通信部３０が行う相手先装置６１が信号を受信することを意味する。
【００６６】
図６（Ａ）の場合、複合機１は、「Ｖ．１７」通信規格の下では、相手先装置６１からＤＩＳ信号を受信すると、ファックス通信部３０を介してＤＣＳ信号を所定時間、送信後、トレーニングチェック信号（ＴＣＦ信号）を所定時間、送信する。ＴＣＦ信号は、回線の品質を確認するための信号である。受信側である相手先装置６１は、ＴＣＦ信号を受信し、トレーニングが正常に行われたことを確認した後、完了通知として受信準備確認信号（ＣＦＲ信号）を複合機１に送信する。
【００６７】
図６（Ｂ）の場合、複合機１は、「Ｖ．３４」通信規格の下では、ＤＩＳ信号を受信すると、ＤＣＳ信号を「Ｖ．１７」通信規格に比べて短い時間で送信する。そして、複合機１は、受信側である相手先装置６１からＣＦＲ信号を受信する。そもそも、送信側である複合機１自身が、「Ｖ．３４」通信規格の下で通信可能であって、かつ、受信側である相手先装置６１が、「Ｖ．３４」通信規格の下で通信可能である場合、共に電話回線を介して高速に通信することが可能である。
【００６８】
「Ｖ．３４」通信規格の下では、送信側である複合機１と受信側である相手先装置６１との間で、Ｖ８手順と呼ばれる信号のやり取りが行われ、そのＶ８手順によって回線の品質が確認される。「Ｖ．３４」通信規格では、その確認後、複合機１は直ぐに相手先装置６１からＤＩＳ信号を受信するため、「Ｖ．１７」通信規格で行われるＴＣＦ信号の送信を行わない。
【００６９】
図６に示すように、（イ）ＤＩＳ信号を受信してから、（ロ）ＣＦＲ信号を受信するまでの期間が、「Ｖ．１７」通信規格に比べて、「Ｖ．３４」通信規格は短くなっている。
【００７０】
図６の読取制御は、１枚分の読取画像に対して９０度回転させる必要がある場合の複合機１の読取制御が示されている。原稿シートＧが搬送ローラ４６による搬送が開始される。読取センサ２１が押圧部材３８を読み取り、補正データを取得する。（ロ‘）Ｒセンサ４４がオンする。すなわち、搬送ローラ４６によって搬送される原稿シートＧの先端がＲセンサ４４を通過する。原稿シートＧが読取センサ２１によって読み取りが開始され、ＲＡＭ７７の第１バッファ７８に読み取られた読取画像が記憶される。（ハ）Ｒセンサ４４がオフする。すなわち、搬送ローラ４６によって搬送される原稿シートＧの後端がＲセンサ４４を通過することを意味する。すると、読取センサ２１による読取動作が終了する。
【００７１】
画像処理部７２が、ＲＡＭ７７に記憶された原稿シートＧ、１枚分の読取画像に対して９０度回転する回転処理を行う。（ニ）回転処理された読取画像は、ＲＡＭ７７の第２バッファ７９に記憶され、回転処理された読取画像のうち、所定ライン分、決定された符号化方式の下でＡＳＩＣ７１にて圧縮処理された段階で、読取画像がＰＩＸ信号として送信可能となる。
【００７２】
複合機１は、ＣＦＲ信号を受信してから、一定以上の時間（タイムアウト時間ＴＯＵＴ）以内に読取画像を受信側の相手先装置６１に送信しないと、相手先装置６１が複合機１からの読取画像の受信を拒否することになる。
【００７３】
「Ｖ．１７」通信規格の下では、（ロ）と（ロ‘）のタイミングがほぼ同じであって同期をとることができ、（ロ）から（ニ）に至る原稿シートＧの読取動作、読取画像の回転処理、符号化処理によってＰＩＸ信号を送信開始できるまでの時間がＴＯＵＴの時間内に収まるため、複合機１は相手先装置６１に読取画像を送信することができる。
【００７４】
他方、「Ｖ．３４」通信規格の下では、Ｒセンサ４４がオンするより前に、速い段階でＣＦＲ信号を受信することになるため、（ロ）と（ロ‘）との間の差が大きく、（ロ）から（ニ）に至る時間がＴＯＵＴの時間を大幅に超えるため、複合機１は相手先装置６１に読取画像を送信することができない。
【００７５】
＜８．メインフローチャート＞
次に、ＣＰＵ７０が行う、ＡＤＦ４１によって搬送された原稿シートＧを読取センサ２１によって読み取り、相手先装置６１にファックス通信部３０を用いてファックス送信する際の各種制御について、図７、図８、図９を用いて説明する。
【００７６】
ＣＰＵ７０が行う各種制御は、ＲＯＭ７６に記憶されるプログラムに基づいて各構成要素に対して指示することによって行われる。
【００７７】
図７は、ＣＰＵ７０が行うメインフローチャートを示している。給紙トレイ１２には、原稿シートＧが複数枚、載置されているものとする。給紙トレイ１２には、図３に実線で示すように、原稿シートＧの長辺が読取主走査方向Ｄ１と平行となる縦向きに載置、又は、図３に２点鎖線で示すように、原稿シートＧの短辺が読取主走査方向Ｄ１と平行となる横向きに載置可能となっている。
【００７８】
ＣＰＵ７０は、幅センサ１７がオンであるか、オフであるかを検出する（Ｓ１０５）。ＣＰＵ７０は、幅センサ１７がオンであれば（Ｓ１０５：ＹＥＳ）、回転送信オンというフラグをＲＡＭ７７に記憶させる。ＣＰＵ７０は、幅センサ１７がオフであれば（Ｓ１０５：ＮＯ）、回転送信オフというフラグをＲＡＭ７７に記憶させる（Ｓ１１５）。
【００７９】
図３に実線で示すように原稿シートＧが原稿シートＧの長辺が読取主走査方向Ｄ１と平行となる縦向きに載置されているので、ファックス送信する際は読取画像に対して９０度回転する回転処理を行う必要がある。そのため、回転送信オンというフラグがＲＡＭ７７に記憶される。
【００８０】
図３に２点鎖線で示すように原稿シートＧが原稿シートＧの短辺が読取主走査方向Ｄ１と平行となる横向きに載置されているので、読取画像に対して９０度回転する回転処理を行う必要が無い。そのため、回転送信オフというフラグがＲＡＭ７７に記憶される。
【００８１】
ユーザが操作部９を介して、上述した第１の方法によるファックス送信を選択し、相手先装置６１の電話番号を入力する。すると、ＣＰＵ７０は、ユーザによる選択、および、電話番号の入力によって、ファックス送信開始指示を受け付ける（Ｓ１２０）。
【００８２】
次に、操作部９を介して入力された電話番号に従って、ＣＰＵ７０は、ファックス通信部３０を用いてダイヤル信号を送信する（Ｓ１２５）。次に、ＣＰＵ７０は、相手先装置６１にファックス送信であることを示すＣＮＧ信号を、ファックス通信部３０を用いて送信する（Ｓ１３０）。
【００８３】
ＣＰＵ７０は、相手先装置６１が「Ｖ．３４」通信規格の下で通信可能であることを示すＡＮＳａｍ信号をファックス通信部３０がＤＩＳ信号を受信する前に受信した場合（Ｓ１３５：ＹＥＳ）、ファックス通信部３０がＡＮＳａｍ信号を受信することなく、ＤＩＳ信号を受信した場合（Ｓ１３５：ＮＯ）とする。
【００８４】
ファックス通信部３０がＡＮＳａｍ信号を受信した場合（Ｓ１３５：ＹＥＳ）、ＲＡＭ７７に回転送信オン、又は、回転送信オフというフラグがあるか否かを確認する（Ｓ１４０）。
【００８５】
＜ＡＮＳａｍ信号を受信し、回転送信オンの場合＞
ＣＰＵ７０は、ＲＡＭ７７に回転送信オンが記憶されていれば、ファックス通信部３０が「Ｖ．３４」通信規格の下でデータを送受信可能な能力を有しているにも係らず、Ｖ８手順を行うこと無く、ＤＩＳ信号を受信するのを待つ（Ｓ１４５）。そして、ファックス通信部３０は、ＤＩＳ信号を受信する（Ｓ１４５：ＹＥＳ）。
【００８６】
ＣＰＵ７０は、ファックス通信部３０がＤＩＳ信号を受信すると（Ｓ１４５：ＹＥＳ）、後述する搬送制御処理の実行を開始（Ｓ１５０、図８参照）し、駆動部３９の駆動を開始する。
【００８７】
ＣＰＵ７０は、「Ｖ．３４」通信規格ではない、「Ｖ．１７」通信規格であることを示すＤＣＳ信号を、ファックス通信部３０を介して相手先装置６１に送信する（Ｓ１５５）。
【００８８】
本来、ファックス通信部３０が「Ｖ．３４」通信規格の下で通信可能であって、相手先装置６１が「Ｖ．３４」通信規格の下でデータ通信可能であるのであれば、「Ｖ．３４」通信規格の下で通信することを示すＤＣＳ信号を送信するが、この場合においては、ＣＰＵ７０は、「Ｖ．１７」通信規格であることを示すＤＣＳ信号を、ファックス通信部３０を介して相手先装置６１に送信する。
【００８９】
そして、ＣＰＵ７０は、ＴＣＦ信号を、ファックス通信部３０を介して所定時間送信する（Ｓ１６０）。ファックス通信部３０が相手先装置６１からＣＦＲ信号を受信するのを待ち（Ｓ１６５）、ＣＦＲ信号を受信したら（Ｓ１６５：ＹＥＳ）、後述する送信制御処理の実行を開始する（Ｓ１７０、図９参照）。
【００９０】
ＣＰＵ７０は、搬送制御処理（Ｓ１５０、図８参照）と送信制御処理（Ｓ１７０、図９参照）とを、互いに情報をやり取りしながら実行する。ＣＰＵ７０は、搬送制御処理（Ｓ１５０、図８参照）と送信制御処理（Ｓ１７０、図９参照）とが互いに処理が終了するのを待機し（Ｓ１７５）、終了したら（Ｓ１７５：ＹＥＳ）、図７のメインフローチャートを終了する。
【００９１】
＜ＡＮＳａｍ信号を受信し、回転送信オフの場合＞
ＣＰＵ７０は、ＲＡＭ７７に回転送信オフが記憶されていれば（Ｓ１４０：ＮＯ）、ファックス通信部３０を用いてＶ８手順による各種信号のやり取りを相手先装置６１と行う（Ｓ１８０）。Ｖ８手順後、ファックス通信部３０がＤＩＳ信号を受信するのを待機する（Ｓ１８５）。
【００９２】
ＣＰＵ７０は、ファックス通信部３０がＤＩＳ信号を受信すると（Ｓ１８５：ＹＥＳ）、後述する搬送制御処理の実行を開始（Ｓ１９０、図８参照）する。ＣＰＵ７０は、「Ｖ．３４」通信規格であることを示すＤＣＳ信号を、ファックス通信部３０を介して相手先装置６１に送信する（Ｓ１９５）。そして、ＣＰＵ７０は、Ｓ１６５、Ｓ１７０、Ｓ１７５の各処理を実行し、図７のメインフローチャートの処理を終了する。
【００９３】
＜ＡＮＳａｍ信号を受信しない場合＞
ＣＰＵ７０は、ファックス通信部３０がＡＮＳａｍ信号を受信することなく（Ｓ１３５：ＮＯ）、ＤＩＳ信号を受信すると（Ｓ２００：ＹＥＳ）、後述する搬送制御処理の実行を開始する（Ｓ２０３、図８参照）。ＣＰＵ７０は、「Ｖ．３４」通信規格ではない、「Ｖ．１７」通信規格であることを示すＤＣＳ信号を、ファックス通信部３０を介して相手先装置６１に送信する（Ｓ２０３）。次に、ＣＰＵ７０は、ＴＣＦ信号を、ファックス通信部３０を介して所定時間送信する（Ｓ２１０）。そして、ＣＰＵ７０は、Ｓ１６５、Ｓ１７０、Ｓ１７５の各処理を実行し、図７のメインフローチャートの処理を終了する。
【００９４】
＜９．搬送制御処理について＞
次に、図８の搬送制御処理について説明する。ＣＰＵ７０は、ファックス通信部３０がＤＩＳ信号を受信すると（Ｓ１８５、Ｓ１８５、Ｓ２００：ＹＥＳ）、駆動部３９に対して駆動の開始を指示する（Ｓ３００）。
【００９５】
駆動部３９は駆動を開始すると、複数の搬送ローラ４６が回転する。すると、原稿シートＧが給紙トレイ１２から搬送開始される。次に、ＣＰＵ７０は、読取センサ２１に対し、読み取りを指示し、押圧部材３８を読み取り、補正データを取得する（Ｓ３０５）。
【００９６】
ＣＰＵ７０は、Ｒセンサ４４がオンするか否かを検知する（Ｓ３１０）。Ｒセンサ４４がオンすると（Ｓ３１０：ＹＥＳ）、原稿シートＧの先端がＲセンサ４４の位置Ｐ１に到達することになる。
【００９７】
ＣＰＵ７０は、駆動部３９に対して駆動部３９の駆動停止の指示を行う（Ｓ３１５）。なお、原稿シートＧは、図２（Ｂ）のような状態でＲセンサ４４の位置Ｐ１に原稿シートＧの先端が位置した状態となる。
【００９８】
ＣＰＵ７０は、ファックス通信部３０がＣＦＲ信号を受信するのを待機し（Ｓ３２０）、ファックス通信部３０がＣＦＲ信号を受信すると（Ｓ３２０：ＹＥＳ）、ＣＰＵ７０は、駆動部３９の駆動開始の指示を行う（Ｓ３２５）。
【００９９】
ＣＰＵ７０は、原稿シートＧが位置Ｐ１から位置Ｐ２に到達するまでの要する時間経過すると、読取センサ２１に対して読み取りを指示し、読み取りを開始する（Ｓ３３０）。
【０１００】
＜回転送信オンの場合＞
ＲＡＭ７７に記憶されているフラグが回転送信オンである場合（Ｓ３３５：ＹＥＳ）、第１バッファ７８に、読取センサ２１が読み取った読取画像が記憶開始される。
【０１０１】
読取センサ２１による読み取りは、ＣＰＵ７０からの停止指示があるまで続行される。ＣＰＵ７０は、Ｒセンサ４４のオンからオフになるのを監視する（Ｓ３４５）。Ｒセンサ４４がオフすると（Ｓ３４５：ＹＥＳ）、原稿シートＧが位置Ｐ１から位置Ｐ２に到達するまでの要する時間経過した段階で、ＣＰＵ７０は、読取センサ２１に対して読み取りの停止を指示する（Ｓ３５０）。
【０１０２】
第１バッファ７８には、原稿シートＧ、１枚分の読取画像が記憶されている。ＣＰＵ７０は、画像処理部７２に対して、第１バッファ７８に記憶されている原稿シートＧ、１枚分の読取画像に対して、９０度回転する回転処理を開始するように指示する（Ｓ３５５）。すると、画像処理部７２は、原稿シートＧ、１枚分の読取画像に対して、９０度回転する回転処理を行い、回転処理された読取画像が第２バッファ７９に記憶される。
【０１０３】
Ｆセンサ１８がオフでない、すなわち、Ｆセンサ１８がオンであれば（Ｓ３６０：ＮＯ）、Ｓ３６５に進む。なお、Ｆセンサ１８がオンということは給紙トレイ１２に搬送されるべき原稿シートＧが在ることを意味する。Ｆセンサ１８がオンであれば（Ｓ３６０：ＮＯ）、読取センサ２１によって読み取られた原稿シートＧと異なる、次の原稿シートが複数の搬送ローラ４６によって搬送される。
【０１０４】
ＣＰＵ７０は、Ｒセンサ４４のオフからオンになるのを監視する（Ｓ３６５）。Ｒセンサ４４がオンすると（Ｓ３６５：ＹＥＳ）と、ＣＰＵ７０は、駆動部３９に対して駆動部３９の駆動停止の指示を行う（Ｓ３７０）。原稿シートＧは、図２（Ｂ）のような状態で搬送待機の状態を意味し、位置Ｐ１に到達した次の原稿シートＧ（読取センサ２１によって、読み取られていない）は一旦停止することを意味する。
【０１０５】
そして、ＣＰＵ７０は、後述する送信制御処理（図９）によって、読取センサ２１によって読み取られた１枚の読取画像が相手先装置６１に送信完了したことを示すＭＰＳ信号がファックス通信部３０を介して送信完了するまで待機する（Ｓ３７５）。ＭＰＳ信号がファックス通信部３０を介して送信完了後（Ｓ３７５：ＹＥＳ）、再び、Ｓ３２５に戻り、駆動部３９の駆動開始の指示を行う。一旦停止された位置Ｐ１に到達した次の原稿シートＧは、搬送ローラ４６によって再び原稿搬送経路４５を位置Ｐ２に向けて搬送される。
【０１０６】
Ｆセンサ１８がオフであれば（Ｓ３６０：ＹＥＳ）、Ｓ３８０に進む。なお、Ｆセンサ１８がオフということは給紙トレイ１２に搬送されるべき原稿シートＧが無いことを意味する。
【０１０７】
ＣＰＵ７０は、所定時間経過後（Ｓ３８０）、すなわち、位置Ｐ２から排紙トレイ４７に原稿シートＧが搬送ローラ４６によって搬送完了後、駆動部３９の駆動停止の指示を行う（Ｓ３８５）。
【０１０８】
そして、ＣＰＵ７０は、後述する送信制御処理（図９）によって、読取センサ２１によって読み取られた読取画像が全て相手先装置６１に送信完了したことを示すＥＯＰ信号がファックス通信部３０を介して送信完了するまで待機する（Ｓ３９０）。そして、ＥＯＰ信号がファックス通信部３０を介して送信完了後（Ｓ３９０：ＹＥＳ）、搬送制御処理を終了する。
【０１０９】
＜回転送信オフの場合＞
ＲＡＭ７７に記憶されているフラグが回転送信オフである場合（Ｓ３３５：ＮＯ）、ＣＰＵ７０は、Ｒセンサ４４のオンからオフになるのを監視する（Ｓ３９５）。ＣＰＵ７０は、Ｒセンサ４４がオフすると（Ｓ３９５：ＹＥＳ）、搬送ローラ４６によって原稿シートＧが位置Ｐ１から位置Ｐ２に到達するまでの要する時間経過した段階で、読取センサ２１に対して読み取りの停止を指示する（Ｓ４００）。Ｓ３６０以降の処理は、回転送信オンの場合と同じである。
【０１１０】
＜１０．搬送制御処理について＞
次に、図９の送信制御処理について説明する。図９の送信制御処理は、図８の搬送制御処理と並行して実行される。
【０１１１】
＜回転送信オンの場合＞
ＲＡＭ７７に記憶されているフラグが回転送信オンである場合（Ｓ５００：ＹＥＳ）、ファックス通信部３０がＣＦＲ信号を受信してから（図７：Ｓ１６５参照）、ＣＰＵ７０は、ダミー画像をＰＩＸ信号としてファックス通信部３０を介して送信する（Ｓ５０５）。
【０１１２】
ＣＰＵ７０は、図８の搬送制御処理の回転処理の開始（図８：Ｓ３５５）から終了するまで待機する（Ｓ５１０）。ＣＰＵ７０は、画像処理部７２が回転処理を終了すると（Ｓ５１０：ＹＥＳ）、ＡＳＩＣ７１による圧縮処理が開始され、第２バッファ７９に記憶された回転処理後の読取画像が所定ライン分毎に圧縮される（Ｓ５１３）。なお、ＡＳＩＣ７１による圧縮処理される際の符号化方式は、ファックス通信部３０が受信したＤＩＳ信号に基づいて決定される。
【０１１３】
ＡＳＩＣ７１による圧縮処理が所定ライン分完了すると、ＡＳＩＣ７１によって圧縮処理された読取画像をＰＩＸ信号として送信することが可能となる（図６（ニ））。そこで、ＣＰＵ７０は、「Ｖ．１７」通信規格の通信速度の下でファックス通信部３０によるＰＩＸ信号の送信を開始する（Ｓ５１５）。送信完了した読取画像から順番に、ＲＡＭ７７の第２バッファ７９から送信完了した読取画像が削除される。
【０１１４】
ＣＰＵ７０は、ＲＡＭ７７の第２バッファ７９が空でない場合（Ｓ５２０：ＮＯ）、ファックス通信部３０によるＰＩＸ信号の送信を引き続き行う。ＣＰＵ７０は、ＲＡＭ７７の第２バッファ７９が空である場合、ファックス通信部３０によるＰＩＸ信号の送信を終了する（Ｓ５２０：ＹＥＳ）。
【０１１５】
Ｆセンサ１８がオフでない、すなわち、Ｆセンサ１８がオンであれば（Ｓ５２５：ＮＯ）、Ｓ５３０に進む。ＣＰＵ７０は、読取センサ２１によって読み取られた１枚の読取画像が相手先装置６１に送信完了したことを示すＭＰＳ信号がファックス通信部３０を介して送信する。そして、Ｓ５０５に戻り、以降の処理を繰り返す。
【０１１６】
Ｆセンサ１８がオフであれば（Ｓ５２５：ＹＥＳ）、ＣＰＵ７０は、読取センサ２１によって読み取られた読取画像が全て相手先装置６１に送信完了したことを示すＥＯＰ信号をファックス通信部３０を介して送信する（Ｓ５３５）。ＣＰＵ７０は、図９の送信制御処理を終了する。
【０１１７】
＜回転送信オフの場合＞
ＲＡＭ７７に記憶されているフラグが回転送信オフである場合（Ｓ５００：ＮＯ）、ＣＰＵ７０は、ＡＳＩＣ７１による圧縮処理が所定ライン分実行し（Ｓ５４０）、その実行された所定ライン分の読取画像をＰＩＸ信号としてファックス通信部３０を介して送信する（Ｓ５４５）。
【０１１８】
ＣＰＵ７０は、Ｒセンサ４４のオンからオフになるのを監視する（Ｓ５５０）。ＣＰＵ７０は、Ｒセンサ４４がオフではない、すなわちＲセンサ４４がオンしている場合（Ｓ５５０：ＮＯ）、Ｓ５４０に戻り、Ｓ５４０とＳ５４５の処理を繰り返し行う。
【０１１９】
Ｒセンサ４４がオフ（Ｓ５５０：ＹＥＳ）し、Ｆセンサ１８がオフではない、すなわち、Ｆセンサ１８がオンであれば（Ｓ５５５：ＮＯ）、搬送ローラ４６によって原稿シートＧが位置Ｐ１から位置Ｐ２に到達するまでの要する時間経過した段階でファックス通信部３０によるＰＩＸ信号の送信を終了し（Ｓ５６０：ＹＥＳ）、ＣＰＵ７０は、読取センサ２１によって読み取られた１枚の読取画像が相手先装置６１に送信完了したことを示すＭＰＳ信号がファックス通信部３０を介して送信する（Ｓ５６５）。Ｓ５４０に戻る。
【０１２０】
Ｆセンサ１８がオフであれば（Ｓ５５５：ＹＥＳ）、ＣＰＵ７０は、読取センサ２１によって読み取られた読取画像が全て相手先装置６１に送信完了したことを示すＥＯＰ信号を、ファックス通信部３０を介して送信する。ＣＰＵ７０は、図９の送信制御処理を終了する。
【０１２１】
＜１１．作用効果＞
（１）  以上のように、原稿シートＧの１枚分の読取画像に対して９０度回転を行う場合に、相手先装置６１が「Ｖ．３４」通信規格の下で通信可能であることを示すＡＮＳａｍ信号を受信した場合であっても、複合機１と相手先装置６１とが利用可能な最大能力であるＶ．３４で通信することを示すＤＣＳ信号を相手先装置６１に送信するのではなく、非Ｖ．３４通信規格である「Ｖ．１７」通信規格によって通信することを示すＤＣＳ信号を相手先装置６１に送信する。よって、相手先装置６１がタイムアウトする前に、複合機１が読取画像を相手先装置６１にファックス送信することができる。
【０１２２】
（２）  ＣＰＵ７０は、ファックス通信部３０を介して、「Ｖ．１７」通信規格であることを示すＤＣＳ信号を前記相手先装置６１に送信後（図７：Ｓ１５５）、所定の間隔の間、ファックス通信部３０によりＴＣＦ信号を送信し（図７：Ｓ１６０）、その後、ファックス通信部３０に相手先装置６１からのＣＦＲ信号を受信させる（図７：Ｓ１６５）。
【０１２３】
ファックス通信部３０は、Ｖ．３４通信規格の下では、ＴＣＦ信号を送信しないが、ファックス通信部は、非Ｖ．３４通信規格である「Ｖ．１７」通信規格の下では、ＴＣＦ信号を所定時間、送信することができる。
【０１２４】
複合機１と相手側装置とは、ＴＣＦ信号の送受が正常に行われたことを確認した上で、複合機１は、相手側装置からＣＦＲ信号を受信する。すると、非Ｖ．３４通信規格（「Ｖ．１７」通信規格）の下では、ＴＣＦ信号を所定時間送信することができる為、ファックス通信部３０がＤＩＳ信号を受信し、駆動部３９が駆動を開始してから相手先装置６１からのＣＦＲ信号を受信するまでの時間を長くすることができ、相手先装置６１がタイムアウトせずに複合機１が相手先装置６１にファックス送信することができる。
【０１２５】
（３）  ＣＰＵ７０は、相手先装置６１からのＣＦＲ信号の受信後（図７：Ｓ１６５）、ファックス通信部３０に対してダミー画像の送信を開始させる（図９：Ｓ５０５）。そして、回転処理（図９：Ｓ５１０）が完了後、ＣＰＵ７０は、ファックス通信部３０に対して相手先装置６１へのダミー画像の送信を停止させる。
【０１２６】
複合機１は、ＣＦＲ信号を受信後、通信規格（「Ｖ．１７」通信規格）で定められた所定期間の間、ダミー画像を送信することによって、複合機１が読取画像を送信するのに要する準備に余裕ができるため、仮に、搬送ローラ４６による原稿シートＧの遅れがあったとしても相手先装置６１がタイムアウトせずに複合機１が相手先装置６１にファックス送信することができる。
【０１２７】
（４）  複合機１は、読取センサ２１より原稿搬送経路４５の上流側の位置を通過する原稿シートＧを検知するＲセンサ４４を備える。ＣＰＵ７０は、Ｒセンサ４４が原稿シートＧの先端を検知すると、駆動部３９の駆動を停止の指示を行う（図８：Ｓ３１５）。その指示後、ファックス通信部３０がＣＦＲ信号を受信した際に、駆動部３９の駆動を再開させる（図８：Ｓ３２５）。
【０１２８】
そして、駆動部３９の駆動を再開（図８：Ｓ３２５）から、搬送ローラ４６によって原稿シートＧが位置Ｐ１から位置Ｐ２に到達するまでの要する時間経過すると、ＣＰＵ７０は、読取センサ２１に対して位置Ｐ２に搬送される原稿シートＧの読み取りを開始させる（図８：Ｓ３３０）。そして、Ｒセンサ４４のオンからオフへの変化から、搬送ローラ４６によって原稿シートＧが位置Ｐ１から位置Ｐ２に到達するまでの要する時間経過すると、読取センサ２１に対して位置Ｐ２での読み取りを停止させる。
【０１２９】
相手先装置６１がＤＩＳ信号を複合機１に送信してから、相手先装置６１がＣＦＲ信号を複合機１に送信するまでの間に、相手先装置６１と複合機１との通信不調等のエラーが生じる場合もある。
【０１３０】
通信不調等のエラーが生じているにもかかわらず、複合機１の読取センサ２１が原稿シートＧを読み取ると、その読み取った動作自体が無駄になる。そこで、Ｒセンサ４４が原稿シートＧの先端を検知に基づいて、一旦、駆動部３９の駆動の停止を指示し、その指示後、ファックス通信部３０がＣＦＲ信号を受信した上で、駆動部３９の駆動を再開しているので、読取センサ２１が原稿シートＧを読み取る動作が無駄になることを低減することができる。
【０１３１】
（５）  給紙トレイ１２に支持された複数枚の原稿シートＧを１枚毎に相手先装置６１にファックス送信する場合において、Ｒセンサ４４がオフ（図８：Ｓ３４５）からオン（図８：Ｓ３６５）に検知結果が変化すると、ＣＰＵ７０は、駆動部３９の駆動を停止させる（図８：Ｓ３７０）。
【０１３２】
ＣＰＵ７０は、ファックス通信部３０によって送信完了したことを示すＭＰＳ信号が相手先装置６１に送信された段階（図８：Ｓ３７５）で、駆動部３９の駆動を再開し、次の原稿シートに対する読取制御処理を実行する。
【０１３３】
読取センサ２１が１枚分の原稿シートＧを読み取ったら、その１枚分の読取画像を相手先のＦＡＸ送信し、終わったら、次の１枚分の原稿シートＧを読み取って、その１枚分の読取画像を相手先のＦＡＸ送信するため、ユーザが駆動部３９の駆動と停止とによって、複合機１が何ページの読取画像を相手先装置６１にファックス送信完了したのかを把握することができる。
【０１３４】
（６）  相手先装置６１から送信されるＤＩＳ信号をファックス通信部３０が受信する前に、ＡＮＳａｍ信号を相手先装置６１からファックス通信部３０が受信する場合（図７：Ｓ１３５、ＹＥＳ）であって、かつ、回転処理を実行することが決定されていない第２の場合において（図７：１４０、ＮＯ）、ＣＰＵ７０は、ＤＩＳ信号をファックス通信部３０が受信後、「Ｖ．３４」通信規格の下で相手先装置６１との通信のやり取りを行うことを示すＤＣＳ信号を相手先装置６１に送信し、ファックス通信部３０がＣＦＲ信号を受信する。
【０１３５】
第２の場合に、搬送ローラ４６によって搬送された原稿シートＧを、読取センサ２１を用いて位置Ｐ２にて読み取らせ、読取センサ２１が読み取った読取画像を読み取った順に、Ｖ．３４通信規格の下でファックス通信部３０を用いて相手先装置６１に送信する。
【０１３６】
第２の場合、すなわち、読取画像に回転処理が不要である場合は、読取センサ２１が読み取った読取画像を読み取った順に、「Ｖ．３４」通信規格の下でファックス通信部３０を用いて読取画像を送信することができる。
【０１３７】
（７）  複合機１は、原稿シートＧの長辺が読取センサ２１の読取主走査方向Ｄ１に平行な向き、又は、原稿シートＧの短辺が読取センサ２１の読取主走査方向Ｄ１に平行な向き、のいずれかの向きに給紙トレイ１２に支持されているかを検知する幅センサ１７を備えている。
【０１３８】
そして、ＣＰＵ７０は、幅センサ１７が原稿シートＧの長辺が読取センサ２１の読取主走査方向Ｄ１に平行な向きであることを検知している場合に、回転処理を実行すると決定する（図７：Ｓ１１０）。
【０１３９】
また、複合機１は、記録紙シートＨが支持される記録紙トレイ１３と、画像形成を行う画像形成部３１を備えている。
【０１４０】
記録紙トレイ１３は、記録紙シートＨの長辺が画像形成部３１の記録主走査方向Ｄ３と平行となる向きに記録紙シートＨが支持されている。画像形成部３１は、記録主走査方向Ｄ３と直交する記録紙搬送経路３５に沿って搬送された記録紙シートＨに対して、記録主走査方向Ｄ３に画像形成する。
【０１４１】
複合機１は、単に相手先装置６１にファックス送信するのに用いられるだけではなく、読取センサ２１やＡＤＦ４１を用いて原稿シートＧを読み取り、その原稿シートＧを読み取った読取画像を画像形成部３１によって記録紙シートＨに記録するコピー機能もある。
【０１４２】
原稿シートＧの長辺が読取センサ２１の読取主走査方向Ｄ１に沿う向きに、原稿シートＧが給紙トレイ１２に支持されていると、画像処理部７２が読取センサ２１によって読み取られた読取画像に対して回転処理を実行すること無く、読取画像をそのまま、画像形成部３１が記録紙シートＨに記録することができる。
【０１４３】
ユーザにとって、複合機１を用いてコピー機能を実行する際、原稿シートＧの長辺が読取センサ２１の読取主走査方向Ｄ１に沿う向きに給紙トレイ１２に載置されていると、便利である。一方、相手先装置６１にファックス送信する際は、読取画像は、原稿シートＧの短辺側を先に送信する必要が予め定められており、回転処理を行う必要があった。本実施例の構成にすることで、複合機１がコピー機能と同様に、仮にユーザがコピー機能と同じように原稿シートＧの長辺が読取センサ２１の読取主走査方向Ｄ１に沿う向きに給紙トレイ１２に載置したとしても、相手先装置６１にファックス送信することができる。
【０１４４】
その他、特許請求の範囲に記載された事項の範囲で種々の設計変更を施すことが可能である。例えば、非Ｖ．３４通信規格としては、「Ｖ．１７」通信規格を例示したが、ＩＴＵ−Ｔ勧告に基づく規格である「Ｖ．２９」等の通信速度が遅い通信規格であってもよい。
【符号の説明】
【０１４５】
１      複合機、３      原稿搬送ユニット、１２      給紙トレイ、
１３      記録紙トレイ、１７      幅センサ、２１      読取センサ、
３０      ファックス通信部、３１      画像形成部、３９      駆動部、
４１      ＡＤＦ、４４      Ｒセンサ、４６      搬送ローラ、７０      ＣＰＵ、
７７      ＲＡＭ
【図１】
2018022988.tif 000003
【図２Ａ】
2018022988.tif 000004
【図２Ｂ】
2018022988.tif 000005
【図３】
2018022988.tif 000006
【図４】
2018022988.tif 000007
【図５】
2018022988.tif 000008
【図６】
2018022988.tif 000009
【図７】
2018022988.tif 000010
【図８】
2018022988.tif 000011
【図９】
2018022988.tif 000012
【手続補正書】
【提出日】平成28年8月3日(2016.8.3)
【手続補正１】
【補正対象書類名】図面
【補正対象項目名】図７
【補正方法】変更
【補正の内容】
【図７】
2018022988.tif 000013
【手続補正２】
【補正対象書類名】図面
【補正対象項目名】図８
【補正方法】変更
【補正の内容】
【図８】
2018022988.tif 000014
【手続補正３】
【補正対象書類名】図面
【補正対象項目名】図９
【補正方法】変更
【補正の内容】
【図９】
2018022988.tif 000015